(57)【要約】【課題】  各種スポーツのビジュアルトレーニングに好都合に適用することができるトレーニングシステムを提供すること。【解決手段】  被験者の視野情報を撮影する視野カメラ４と、被験者の瞳孔情報を撮影する瞳孔カメラ６と、瞳孔カメラ６の撮影瞳孔情報に基づいて瞳孔座標情報を演算する瞳孔座標情報演算手段５２と、視野カメラ４の撮影視野情報に瞳孔座標演算手段５２による瞳孔座標情報を合成して瞳孔座標合成情報を生成する瞳孔情報合成手段５４と、被験者の瞳孔座標合成情報を登録する被験者情報データベース４６と、上級者の瞳孔座標合成情報を登録した上級者情報データベース４８と、瞳孔座標合成情報を表示する表示手段３６とを備えたトレーニングシステム。このシステムでは、被験者及び／又は上級者の瞳孔座標合成情報を表示手段３６に表示してビジュアルトレーニングを行う。【選択図】  図５
2008079917.tif 000002
【特許請求の範囲】
【請求項１】
被験者の前方視野の視野情報を撮影するための視野カメラと、前記被験者の瞳孔情報を撮影するための瞳孔カメラと、前記瞳孔カメラの撮影瞳孔情報に基づいて瞳孔座標情報を演算するための瞳孔座標情報演算手段と、前記視野カメラの撮影視野情報に前記瞳孔座標演算手段により演算した前記瞳孔座標情報を合成して瞳孔座標合成情報を生成するための瞳孔情報合成手段と、前記被験者の瞳孔座標合成情報を登録する被験者情報データベースと、上級者の前記瞳孔座標合成情報を登録した上級者情報データベースと、前記瞳孔座標合成情報を表示するための表示手段と、を備え、前記被験者及び／又は前記上級者の前記瞳孔座標合成情報を前記表示手段に表示してビジュアルトレーニングを行うことを特徴とするトレーニングシステム。
【請求項２】
前記視野カメラは、前記被験者の左目の左前方視野情報を撮影するための左視野カメラと、前記被験者の右目の右前方視野情報を撮影するための右視野カメラとを含み、前記瞳孔カメラは、前記被験者の左目の左瞳孔情報を撮影するための左瞳孔カメラと、前記被験者の右目の右瞳孔情報を撮影するための左瞳孔カメラとを含み、前記瞳孔座標情報演算手段は、前記左瞳孔カメラの前記左瞳孔情報に基づいて左瞳孔座標情報を演算するとともに、前記右瞳孔カメラの前記右瞳孔情報に基づいて右瞳孔座標情報を演算し、前記瞳孔情報合成手段は、前記左視野カメラの前記左前方視野情報に前記瞳孔座標演算手段により演算した前記左瞳孔座標情報を合成して左瞳孔座標合成情報を生成するとともに、前記右視野カメラの前記右前方視野情報に前記瞳孔座標演算手段により演算した前記右瞳孔座標情報を合成して右瞳孔座標合成情報を生成することを特徴とする請求項１に記載のトレーニングシステム。
【請求項３】
被験者が行うスポーツの周囲情報を撮影するための周囲カメラを備え、前記周囲カメラの撮影周囲情報が、前記瞳孔座標合成情報と関連付けられて前記被験者情報データベースに被験者周囲情報として登録されることを特徴とする請求項１又は２に記載のトレーニングシステム。
【請求項４】
トレーニングコーチ側に設けられる音声入力手段と、前記被験者に装着される音声出力手段とを更に備え、前記被験者の前記瞳孔座標合成情報に基づいて前記音声入力手段から入力された音声情報が、前記音声出力手段を通して前記被験者に伝達されることを特徴とする請求項１〜３のいずれかに記載のトレーニングシステム。
【請求項５】
瞳孔座標位置を入力するための位置情報入力手段と、前記位置情報入力手段により入力された入力瞳孔座標位置を前記撮影視野情報に合成するための入力位置情報合成手段とを更に備え、前記位置情報入力手段により入力された前記入力瞳孔座標位置が前記入力位置情報合成手段により前記被験者の入力座標合成情報として合成されることを特徴とする請求項１〜４のいずれかに記載のトレーニングシステム。
【請求項６】
前記被験者に装着される位置情報出力手段を更に備え、前記入力位置情報合成手段により合成された前記入力座標合成情報における入力瞳孔座標位置が前記位置情報出力手段から出力されることを特徴とする請求項５に記載のトレーニングシステム。
【請求項７】
前記被験者に装着されるトレーニング用装着フレームを更に備え、前記視野カメラ、前記瞳孔カメラ及び前記位置情報出力手段が前記トレーニング用装着フレームに取り付けられることを特徴とする請求項６に記載のトレーニングシステム。
【請求項８】
前記トレーニング用装着フレームには、前記被験者に固定的に装着するための固定的装着手段が設けられていることを特徴とする請求項７に記載のトレーニングシステム。
【発明の詳細な説明】
【技術分野】
【０００１】
本発明は、サッカー、バスケットボールなどのスポーツのビジュアルトレーニングに用いるトレーニングシステムに関する。
【背景技術】
【０００２】
一般的に、スポーツの分野では、上級者は眼球（換言すると、瞳孔）の動きが安定し、注視点として特定ポイントを含む範囲として捕らえ、身体動作として無駄な動きが少ないと言われるのに対し、初心者は眼球の動きが不安定で激しく動く傾向にあり、注視点として特定ポイントをピンポイントで見る傾向にあり、また身体動作として無駄な動きが多くて激しく動く傾向にあると言われている。
【０００３】
ところが、スポーツ時の眼球の動きを周囲の視野情報と関連して計測するためのシステムがなく、スポーツ時の眼球の動きを実際の画像情報との関連で初心者に具体的に説明することが困難であった。
【０００４】
一方、被験者の眼球（換言すると、瞳孔）の注視点を計測して表示する注視点位置表示システムが提案されている（例えば、特許文献１参照）。この注視点位置表示装置は、被験者に装着される眼鏡型フレームと、視野情報を撮影するための視野カメラと、瞳孔情報を撮影するための瞳孔カメラと、瞳孔カメラの撮影瞳孔情報に基づいて瞳孔座標情報を演算するための瞳孔座標情報演算手段と、瞳孔座標情報演算手段により演算された瞳孔座標情報を視野カメラの撮影視野情報に合成する瞳孔情報合成手段とを備え、視野カメラ及び瞳孔カメラが眼鏡型フレームに所要の通りに取り付けられている。
【０００５】
【特許文献１】特開２００５−３１２６０５号公報
【発明の開示】
【発明が解決しようとする課題】
【０００６】
しかしながら、上述した注視点位置表示システムでは、被験者の眼球の注視点を視野情報との関連で表示することができるが、このような注視点の位置情報を各種スポーツの分野にどのように適用するか全く示されてない。
【０００７】
近年、初心者のトレーニング方法の一つとしてビジュアルトレーニングが提案され、スポーツを行う者の眼球の動きをとらまえ、その動きを上級者の眼球の動きに近づけ、これによって、初心者のスポーツ技術の向上を図ろうとする動きがあるが、上述した注視点位置表陣システムをこのようなビジュアルトレーニングにそのまま適用することができず、各種スポーツのビジュアルトレーニングに適用することができるトレーニングシステムの実現が望まれている。
【０００８】
本発明の目的は、各種スポーツのビジュアルトレーニングに好都合に適用することができるトレーニングシステムを提供することである。
【課題を解決するための手段】
【０００９】
本発明の請求項１に記載のトレーニングシステムは、被験者の前方視野の視野情報を撮影するための視野カメラと、前記被験者の瞳孔情報を撮影するための瞳孔カメラと、前記瞳孔カメラの撮影瞳孔情報に基づいて瞳孔座標情報を演算するための瞳孔座標情報演算手段と、前記視野カメラの撮影視野情報に前記瞳孔座標演算手段により演算した前記瞳孔座標情報を合成して瞳孔座標合成情報を生成するための瞳孔情報合成手段と、前記被験者の瞳孔座標合成情報を登録する被験者情報データベースと、上級者の前記瞳孔座標合成情報を登録した上級者情報データベースと、前記瞳孔座標合成情報を表示するための表示手段と、を備え、前記被験者及び／又は前記上級者の前記瞳孔座標合成情報を前記表示手段に表示してビジュアルトレーニングを行うことを特徴とする。
【００１０】
また、本発明の請求項２に記載のトレーニングシステムでは、前記視野カメラは、前記被験者の左目の左前方視野情報を撮影するための左視野カメラと、前記被験者の右目の右前方視野情報を撮影するための右視野カメラとを含み、前記瞳孔カメラは、前記被験者の左目の左瞳孔情報を撮影するための左瞳孔カメラと、前記被験者の右目の右瞳孔情報を撮影するための左瞳孔カメラとを含み、前記瞳孔座標情報演算手段は、前記左瞳孔カメラの前記左瞳孔情報に基づいて左瞳孔座標情報を演算するとともに、前記右瞳孔カメラの前記右瞳孔情報に基づいて右瞳孔座標情報を演算し、前記瞳孔情報合成手段は、前記左視野カメラの前記左前方視野情報に前記瞳孔座標演算手段により演算した前記左瞳孔座標情報を合成して左瞳孔座標合成情報を生成するとともに、前記右視野カメラの前記右前方視野情報に前記瞳孔座標演算手段により演算した前記右瞳孔座標情報を合成して右瞳孔座標合成情報を生成することを特徴とする。
【００１１】
また、本発明の請求項３に記載のトレーニングシステムでは、被験者が行うスポーツの周囲情報を撮影するための周囲カメラを備え、前記周囲カメラの撮影周囲情報が、前記瞳孔座標合成情報と関連付けられて前記被験者情報データベースに被験者周囲情報として登録されることを特徴とする。
【００１２】
また、本発明の請求項４に記載のトレーニングシステムでは、トレーニングコーチ側に設けられる音声入力手段と、前記被験者に装着される音声出力手段とを更に備え、前記被験者の前記瞳孔座標合成情報に基づいて前記音声入力手段から入力された音声情報が、前記音声出力手段を通して前記被験者に伝達されることを特徴とする。
【００１３】
また、本発明の請求項５に記載のトレーニングシステムでは、瞳孔座標位置を入力するための位置情報入力手段と、前記位置情報入力手段により入力された入力瞳孔座標位置を前記撮影視野情報に合成するための入力位置情報合成手段とを更に備え、前記位置情報入力手段により入力された前記入力瞳孔座標位置が前記入力位置情報合成手段により前記被験者の入力座標合成情報として合成されることを特徴とする。
【００１４】
また、本発明の請求項６に記載のトレーニングシステムでは、前記被験者に装着される位置情報出力手段を更に備え、前記入力位置情報合成手段により合成された前記入力座標合成情報における入力瞳孔座標位置が前記位置情報出力手段から出力されることを特徴とする。
【００１５】
更に、本発明の請求項７に記載のトレーニングシステムでは、前記被験者に装着されるトレーニング用装着フレームを更に備え、前記視野カメラ、前記瞳孔カメラ及び前記位置情報出力手段が前記トレーニング用装着フレームに取り付けられることを特徴とする。
【００１６】
更にまた、本発明の請求項８に記載のトレーニングシステムでは、前記トレーニング用装着フレームには、前記被験者に固定的に装着するための固定的装着手段が設けられていることを特徴とする。
【発明の効果】
【００１７】
本発明の請求項１に記載のトレーニングシステムによれば、瞳孔座標演算手段が瞳孔カメラの撮影瞳孔情報に基づいて瞳孔座標情報を演算し、瞳孔情報合成手段がこの瞳孔座標情報を視野カメラの撮影視野情報に合成して瞳孔座標合成情報を生成し、被験者の瞳孔座標合成が被験者情報データベースに登録される。また、上級者情報データベースには、上級者の瞳孔座標合成情報が登録されている。表示手段は被験者及び上級者の瞳孔座標合成情報を表示し、例えば被験者の瞳孔座標合成情報を表示することによって、スポーツ中の被験者の眼球（換言すると、瞳孔）の動きを知ることができ、また例えば上級者の瞳孔座標合成情報を表示することによって、スポーツ中の上級者の眼球の動きを知ることができ、更に、例えば初級者及び上級者の瞳孔座標合成情報を同時に表示する（例えば、画面の片側に初級者の瞳孔座標合成情報を、その他側に上級者の瞳孔座標合成情報を表示する）ことによって、初心者及び上級者の眼球の動きを対比しながら知ることができ、このようにスポーツ中の目の動きを知ることによって、ビジュアルトレーニングに好都合に適用することができ、初心者のスポーツ技術の向上に用いることができる。
【００１８】
また、本発明の請求項２に記載のトレーニングシステムによれば、視野カメラは、被験者の左右の目の前方視野情報を撮影するための左及び右視野カメラを含み、瞳孔カメラは、被験者の左右の目の瞳孔情報を撮影するための左及び右瞳孔カメラを含み、瞳孔座標情報演算手段は、これら左右の瞳孔カメラの左右の瞳孔情報に基づいて左及び右瞳孔座標情報を演算し、また瞳孔情報合成手段は、左右の視野カメラの前方視野情報に瞳孔座標演算手段により演算した左右瞳孔座標情報を合成して左右瞳孔座標合成情報を生成するので、被験者の左右の目に対する各種情報を生成し、これら各種情報を利用して三次元画像情報として捕まえることができる。
【００１９】
また、本発明の請求項３に記載のトレーニングシステムによれば、周囲カメラはスポーツの周囲情報（例えば、サッカーの場合にサッカーコート全域の情報、バスケットの場合にバスケットコート全域の情報）を撮影し、周囲カメラの撮影周囲情報が、瞳孔座標合成情報と関連付けられて被験者情報データベースに被験者周囲情報として登録されるので、撮影周囲情報を見ながら特定場面における被験者の瞳孔座標合成情報を読み出し、その特定場面における眼球の動きを知ることができる。
【００２０】
また、本発明の請求項４に記載のトレーニングシステムによれば、音声出力手段（例えば、スピーカ）が被験者に装着され、被験者の瞳孔座標合成情報に基づいてトレーニングコーチから発せられた音声が音声入力手段から入力され、入力された音声情報が音声出力手段を通して被験者に伝達されるので、トレーニングコーチは被験者の眼球の動きを見ながら音声で適切な指示をだすことができ、被験者のスポーツ技術の向上を効果的に行うことができる。
【００２１】
また、本発明の請求項５に記載のトレーニングシステムによれば、入力位置合成手段は位置情報入力手段により入力された入力瞳孔座標位置を撮影視野情報に合成して入力座標合成情報を生成するので、例えばトレーニングコーチが入力した入力瞳孔座標位置を入力座標合成情報として被験者に知らせることができ、これによって、スポーツ中の好ましい眼球の動きを被験者に伝え、スポーツ技術の一層の向上を効果的に行うことができる。
【００２２】
また、本発明の請求項６に記載のトレーニングシステムによれば、入力位置情報合成手段により合成された入力座標合成情報における入力瞳孔座標位置が位置情報出力手段から出力されるので、スポーツ中の被験者に好ましい眼球の動きを伝え、一層効果的なスポーツ技術の向上を図ることができる。
【００２３】
更に、本発明の請求項７に記載のトレーニングシステムによれば、視野カメラ、瞳孔カメラ及び位置情報出力手段がトレーニング用装着フレームに取り付けられるので、スポーツ中の被験者の視野情報及び瞳孔情報を得ることができるとともに、スポーツ中の被験者に入力瞳孔座標位置を伝えることができる。
【００２４】
更にまた、本発明の請求項８に記載のトレーニングシステムによれば、トレーニング用装着フレームに固定的装着手段が設けられているので、この固定的装着手段を用いて被験者にトレーニング用装着フレームを固定的に装着することができ、運動したとき等においてもトレーニング用装着フレームがずれることを防止することができる。
【発明を実施するための最良の形態】
【００２５】
以下、添付図面を参照して、本発明に従うトレーニングシステムの実施形態について説明する。
第１の実施形態
まず、図１〜図６を参照して、第１の実施形態のトレーニングシステムについて説明する。図１は、第１の実施形態のトレーニングシステムの全体を簡略的に示す斜視図であり、図２は、図１のトレーニングシステムにおけるトレーニング用装着フレーム及びそれに関連する構成を示す平面図であり、図３は、図１のトレーニングシステムにおける瞳孔情報合成手段により合成された瞳孔座標合成情報の一例を簡略的に示す図であり、図４は、図１のトレーニングシステムにおける周囲カメラにより撮影された周囲情報の一例を簡略的に示す図であり、図５は、図１のトレーニングシステムの制御系を示すブロック図であり、図６は、図５による制御系による制御の一部を示すフローチャートである。
【００２６】
図１において、図示のトレーニングシステムは、被験者が装着するトレーニング用装着フレーム２と、視野情報を撮影するための視野カメラ４と、瞳孔情報を撮影するための瞳孔カメラ６と、周囲情報を撮影するための周囲カメラと、撮影視野情報、撮影瞳孔情報及び撮影周囲情報を所要の通りに処理するためのシステムコンピュータ１０と、を備えている。
【００２７】
図２をも参照して、このトレーニング用装着フレーム２は、眼鏡型のフレームであり、一対のリング状部１２，１４と、これらリング状部１２，１４を接続する接続部１６とを有し、一方のリング状部１２の外側端部には、後方に延びる右延長耳掛け部１８が設けられ、他方のリング状部１４の外側端部には、後方に延びる左耳掛け部２０が設けられている。この装着フレーム２は、接続部１６を鼻上に載せ、右延長耳掛け部１８を右耳に、左延長耳掛け部２０を左耳に掛けるように被験者に装着される。
【００２８】
視野カメラ４は、例えば右延長耳掛け部１８の先端部に取り付けられ、被験者の右目の視野範囲、即ち視野情報を撮影する。右延長耳掛け部１８の長手方向中間部には略円弧状に前方に延びる前延長アーム２２が設けられ、この前延長アーム２２の先端部に瞳孔カメラ６が取り付けられ、瞳孔カメラ６は被験者の右目の瞳孔の位置、即ち瞳孔情報を撮影する。尚、この実施形態では、視野カメラ４及び瞳孔カメラ６を被験者の右目に関連して設けているが、被験者の左目に関連して設けるようにしてもよく、或いは被験者の左右の目に関連して設けるようにしてもよい。
【００２９】
また、周囲カメラ８は、体育館の天井、競技場の観客席などに設置され、被験者が行うスポーツの周囲情報を撮影する。例えば、バスケットボールの場合に、周囲カメラ８は例えば体育館の天井に取り付けられ、バスケットコートの全域を撮影し、またサッカーの場合に、周囲カメラ８は例えばサッカー競技場の観客席に設置され、サッカーコートの全域を撮影する。
【００３０】
視野カメラ４の撮影視野情報、瞳孔カメラ６の撮影瞳孔情報及び周囲カメラ８の撮影周囲情報は、例えば、パソコンなどから構成されるシステムコンピュータ１０に送られる。この実施形態では、視野カメラ４及び瞳孔カメラ６は伝送ケーブル２４を介して携帯型の送受信装置２６に接続され、またシステムコンピュータ１０には設置型の送受信装置２８が接続され、視野カメラ４の撮影視野情報及び瞳孔カメラ６の撮影瞳孔情報が携帯型送受信装置２６及び設置型送受信装置２８を介してシステムコンピュータ１０に伝送され、またシステムコンピュータ１０からの各種信号が設置型送受信装置２８及び携帯型送受信装置２６を介して視野カメラ４及び瞳孔カメラ６に伝送される。また、周囲カメラ８は伝送ケーブル３０を介してシステムコンピュータ１０に接続され、周囲カメラ８の撮影周囲情報が伝送ケーブル３０を介してシステムコンピュータ１０に伝送され、またシステムコンピュータ１０からの信号がこの伝送ケーブル３０を介して周囲カメラ８に伝送される。
【００３１】
図５をも参照して、このシステムコンピュータ１０に関連して、入力手段３４、表示手段３６及び記憶手段３８が設けられている。入力手段３４は例えばキーボード４０及びマウス４２（図１参照）などから構成され、入力手段３４を入力操作することによって各種操作信号を生成し、生成された操作信号がシステムコンピュータ１０に送給される。表示手段３６は例えばＣＲＴ４４、液晶表示装置などから構成され、システムコンピュータ１０からの各種情報、例えば視野情報、瞳孔情報、周囲情報などを表示する。また、記憶手段３８は例えばシステムコンピュータ１０に内蔵されたハードディスク記憶装置などから構成され、後述する被験者情報が記憶手段３８の被験者情報データベース４６に登録され、後述する上級者情報が上級者情報データベース４８に登録される。
【００３２】
図示のシステムコンピュータ１０は、同期撮影信号生成手段５０、瞳孔座標演算手段５２、瞳孔情報合成手段５４、同期情報合成手段５６、画像情報出力部５８及び計時手段６０を含んでいる。同期撮影信号生成手段５０は視野情報及び瞳孔情報を同時に得るための同期信号（換言すると、視野カメラ４及び瞳孔カメラ６を同時に作動させるための信号）を生成する。この実施形態では、後に詳細に説明するように、手動による記録と自動による記録とを選択することができ、手動による記録の場合、同期撮影信号生成手段５０は、入力手段３４を撮影操作する（例えば、マウス４２をクリックする）毎に同期撮影信号を生成し、また自動による記録の場合、所定時間（例えば、１秒）毎に同期撮影信号を生成する。
【００３３】
また、瞳孔座標演算手段５２は、瞳孔カメラ６からの撮影瞳孔情報に基づいて、瞳孔（換言すると、眼球）の座標位置を演算する。例えば、瞳孔カメラ６により検知した瞳孔中心の位置が図３において画像位置Ｐであるときには、瞳孔座標演算手段５２は、この画像位置Ｐを座標位置（Ｘ１，Ｙ１）と演算し、かかる座標位置に関する情報が瞳孔座標情報となる。
【００３４】
また、瞳孔情報合成手段５６は、視野カメラ４により撮影した撮影視野情報に瞳孔座標演算手段５２により演算した瞳孔座標情報を合成して瞳孔座標合成情報を生成する。例えば、バスケットボールをしているときに、被験者がゴール６２の付近を見ているときには、その視野カメラ４の撮影視野情報は、例えば図３に示す状態となり、このとき被験者の瞳孔の中心が座標位置（Ｘ１，Ｙ１）であるとすると、瞳孔情報合成手段５６により合成された瞳孔座標合成情報は、図３に示すようになり、この瞳孔座標合成情報を見ることにより、被験者はゴール６２の左側を見ていることを知ることができる。このような瞳孔座標合成情報の生成については、例えば、特許文献１として記載した特開２００５−３１２６０５号公報に開示された方法を用いることができる。
【００３５】
この実施形態では、同期情報合成手段５６は、周囲カメラ８の撮影周囲情報及び瞳孔情報合成手段５６による瞳孔座標合成情報に同期情報を合成する。周囲カメラ８は、被験者の周囲情報を撮影し、例えば、バスケットボールの場合に図４に示すようにバスケットコートの全域を撮影し、図４における丸印はプレイしている人を示し、例えば黒丸の人が被験者である。同期情報合成手段５６により付加される同期情報は、例えば、スポーツ中の時刻情報でよく、瞳孔座標合成情報には、例えば図３に示すように合成され、撮影周囲情報には、例えば図４に示すように合成され、このように同期情報を合成することによって、瞳孔座標合成情報の特定合成情報と撮影周囲情報の特定周囲情報とがこの同期情報（この実施形態では、時刻情報）でもって関連付けられ、瞳孔座標合成情報の特定合成情報から撮影周囲情報の特定周囲情報を読み出すことができ、また撮影周囲情報の特定周囲情報から瞳孔座標合成情報の特定合成情報を読み出すことができる。この同期情報は、同期撮影するときに生成される同期撮影信号の連続番号などのようなものでもよい。このように同期情報に関連付けられた瞳孔座標合成情報及び撮影された周囲情報（同期情報に関連付けられた特定周囲情報を含む全周囲情報）は、記憶手段３８の被験者情報データベース４６に登録される。尚、上級者情報データベース４８には、上級者の瞳孔座標合成情報（同期情報に関連付けられてもの）及び撮影周囲情報（同期情報に関連付けられた特定周囲情報を含むもの）が同期情報でもって関連付けられた状態でもって登録される。
【００３６】
更に、画像情報出力部５８は、被験者情報データベース４６に登録された被験者に関する各種情報及び上級者情報データベース４８に登録された上級者に関する各種情報を読み出してシステムコンピュータ１０から出力し、また計時手段６０は時刻の計時を行い、この時刻情報は、同期情報合成手段５６により付加される同期情報として利用される。
【００３７】
次に、図１、図５及び図６を参照して、上述したトレーニングシステムの利用方法について説明する。主として図６を参照して、被験者のスポーツ、この実施形態ではバスケットボール中の情報を取得するには、入力手段３４を入力操作して入力方式の選択を行う（ステップＳ１）。例えば、入力手段３４を操作して手動方式を選択すると、ステップＳ２からステップＳ４に進み、手動による情報の記録が行われる。即ち、周囲カメラ８は被験者のバスケットボール中の周囲情報（即ち、バスケットコート全域の情報）を撮影し、この撮影した撮影情報がシステムコンピュータ１０に送られて記憶手段３８の被験者情報データベース４６に登録される。そして、このような周囲情報の撮影中に被験者の目の動き、即ち瞳孔の動きを知りたいときには、入力手段３４を操作して情報取得の操作を行えばよい。このように操作すると、入力手段３４からの情報取得信号がシステムコンピュータ１０に送られ、この情報取得信号に基づいて同期撮影信号生成手段５０が同期撮影信号を生成する。
【００３８】
かく同期撮影信号が生成されると、この同期撮影信号に基づいて視野カメラ４が被験者の視野情報を撮影し、またこの視野カメラ４と同期して瞳孔カメラ６が被験者の瞳孔情報を撮影する。かくすると、瞳孔座標演算手段５２は撮影瞳孔情報に基づいて被験者の瞳孔（換言すると、眼球）の座標位置を演算して瞳孔座標情報を生成し、瞳孔情報合成手段５６は、視野カメラ４による撮影視野情報に瞳孔座標演算手段５２による瞳孔座標情報を合成して瞳孔座標合成情報を生成する。そして、同期情報合成手段５６は、この瞳孔情報合成手段５６による瞳孔座標合成情報と周囲カメラ８による撮影周囲情報の特定周囲情報（視野カメラ４及び瞳孔カメラ６により撮影した時点の撮影周囲情報）に同期情報を付加し、同期情報が付加された瞳孔座標合成情報及び周囲情報が被験者情報データベース４６に登録される。
【００３９】
このような被験者の瞳孔座標合成情報の登録は、情報取得のための入力手段３４の操作を行う毎に行われ、その記録を終了するまで行われ、このようにして手動方式による被験者の情報取得が行われる。
【００４０】
また、入力手段３４を操作して自動方式を選択すると、ステップＳ２からステップＳ３を経てステップＳ６に進み、自動による情報の記録が行われる。即ち、周囲カメラ８は被験者のバスケットボール中の周囲情報を撮影し、この撮影した撮影周囲情報がシステムコンピュータ１０に送られて被験者情報データベース４６に登録される。また、同期撮影信号生成手段５０は所定時間間隔（例えば、１秒）毎に同期撮影信号を生成し、生成された同期撮影信号毎に視野カメラ４が被験者の視野情報を撮影し、またこの視野カメラ４と同期して瞳孔カメラ６が被験者の瞳孔情報を撮影し、そして、上述したと同様にして瞳孔座標合成情報が生成され、同期情報が付加された瞳孔座標合成情報及び周囲情報が被験者情報データベース４６に登録され、これらの情報の登録は、その記録を終了するまで行われ、このようにして自動方式による被験者の情報取得が行われる。
【００４１】
このようなトレーニングシステムをビジュアルトレーニングに用いるときには、記憶手段３８の被験者情報データベース４６に登録された被験者情報及び上級者情報データベース４８に登録された上級者情報を用いることになる。バスケットボール中の被験者の目の動きを見てトレーニングを行うときには、入力手段３４を操作して被験者の周囲情報を読み出して表示手段３６に表示し、この表示内容を見ながら必要場面の被験者の瞳孔座標合成情報を読み出して表示手段３６に表示し、被験者の周囲情報及び瞳孔座標合成情報を表示して解説しながらトレーニングを行うようになる。
【００４２】
このビジュアルトレーニングをより効果的に行うときには、必要に応じて、記憶手段３８の上級者データベース４８に登録された上級者情報も利用するようになる。即ち、上級者情報を利用するときには、入力手段３４を操作して上級者の周囲情報を読み出して表示手段３６に表示し、この表示内容を見ながら必要場面の上級者の瞳孔座標合成情報を読み出して表示手段３６に表示し、被験者の周囲情報及び瞳孔座標合成情報を表示して解説しながらトレーニングを行うようになる。
【００４３】
被験者情報及び上級者情報は、表示手段３６の表示画面の全体にいずれか一方の情報を表示するようにしてもよく、或いは表示画面の片側に例えば被験者情報を、またその他側に例えば上級者情報を表示し、表示画面に被験者情報及び上級者情報を同時に表示して容易に対比できるようにしてもよい。
【００４４】
上述した実施形態では、トレーニング用装着フレーム２として眼鏡型のフレームを用いているが、固定的に被験者に装着するようにするために、このトレーニング用フレーム２に固定的装着手段を設けるようにしてもよい。この固定的装着手段としては、例えば、トレーニング用フレーム２の右延長耳掛け部１８及び左延長耳掛け部２０を被験者の後頭部を通して連結する締結連結バンドから構成するようにしてもよく、或いはこのような締結連結バンドに更に締結連結バンド及びトレーニング用フレーム２の接続部１６を上頭部を通して接続する補助連結バンドを設けたものから構成するようにしてもよい。
【００４５】
第２の実施形態
次に、図７及び図８を参照して、第２の実施形態のトレーニングシステムについて説明する。図７は、第２の実施形態のトレーニングシステムの全体を概略的に示す斜視図であり、図８は、図７のトレーニングシステムの制御系を簡略的に示すブロック図である。上述した第１の実施形態では、被験者情報を被験者情報データベース４６に一旦登録し、この登録した被験者情報を後に利用してトレーニングを行うようにしているが、第２の実施形態では、例えばバスケットボールを行っている被験者に直接的に９アドバイスなどを行うことができるように構成されている。尚、この第２の実施形態において、上述した第１の実施形態と実質上同一のものには同一の参照番号を付し、その説明を省略する。
【００４６】
図７及び図８において、入力手段３４Ａは、入力方式選択スイッチ７２及び入力手段選択スイッチ７４を含み、またシステムコンピュータ１０Ａに関連して、位置情報入力手段７６及び音声入力手段７８が設けられている。入力方式選択スイッチ７２は被験者の瞳孔座標合成情報を手動で取得するか自動で取得するかを選択するためのスイッチであり、「手動」を選択した場合、手動方式でもって上述したように瞳孔座標合成情報が得られ、また「自動」を選択した場合、自動方式でもって上述したように瞳孔座標合成情報が得られる。また、入力手段選択スイッチ７４は被験者に伝える各種情報の入力手段を選択するものであり、この実施形態では、この入力手段選択スイッチ７４を操作して位置情報入力手段７６及び音声情報入力手段７８を用いるかを選択するものであり、選択方法として、「位置情報入力」、「音声情報入力」及び「位置／音声情報入力」のいずれかを選択する。
【００４７】
この実施形態にける位置情報入力手段７６は、例えばマウス４２がその機能として作用し、マウス４２を操作することによって、位置情報が入力される。また、音声情報入力手段７８はマイク８０から構成され、例えば、トレーニングコーチがマイク８０に向けて音声を発することによって、音声情報がマイク８０から入力され、入力された位置情報及び音声情報はシステムコンピュータ１０Ａに伝送される。
【００４８】
位置情報入力手段７６から入力された位置情報を出力するための位置情報出力手段８２が設けられているとともに、音声入力手段７８から入力された音声情報を出力するための音声出力手段８４が設けられている。位置情報出力手段８２は、例えば、瞳孔カメラ６とともに前延長アーム２２の先端部に装着され、その具体的構成を図示していないが、例えばＬＥＤ（発光ダイオード）と、このＬＥＤを覆うカバーと、ＬＥＤを任意の方向に旋回自在に支持する支持手段と、ＬＥＤを任意の方向に駆動するための駆動手段とを備え、カバーに設けた出射孔を通して照射光が所定方向に出射するように構成され、駆動手段によりＬＥＤの支持角度を変えることによって、ＬＥＤからの出射方向を任意に変えることができるように構成されている。また、音声情報出力部８４は例えばイヤホン８６から構成され、被験者の耳に装着される。尚、入力位置情報についてはシステムコンピュータ１０Ａを通して位置情報出力手段８２に伝達されるが、入力音声情報については、無線などを利用して音声情報入力手段７８から音声情報出力部８４に直接的に伝送するようにしてもよい。
【００４９】
このような構成に関連して、システムコンピュータ１０Ａは、更に、入力位置情報合成手段８８及び音声情報出力部９０を備えている。入力位置情報合成手段８８は、位置情報入力手段７６により入力された位置情報を瞳孔情報合成手段５４による瞳孔座標合成情報に合成し、画像情報出力部５８は、このように合成された位置情報合成情報をも出力する。また、音声情報出力部９０は、音声情報入力手段７８により入力された音声情報を出力する。この第２の実施形態のその他の構成は、上述した第１の実施形態と実質上同一である。
【００５０】
第２の実施形態のトレーニングシステムは、第１の実施形態のものと同様に用いることができ、加えて音声情報入力手段７８から入力された音声情報を被験者に伝えることができるとともに、位置情報入力手段７６により入力された位置状を被験者に伝えることができ、ビジュアルトレーニングを一層効果的に行うことができる。例えば、音声情報を被験者に伝えてトレーニングを行うときには、入力手段３４Ａの入力方式選択スイッチ７２を操作して「自動」に設定するとともに、入力情報選択スイッチ７４を操作して「音声情報入力」を設定し、このように設定することによって、自動による情報の記録が行われる。即ち、上述したと同様に、周囲カメラ８は被験者のバスケットボール中の周囲情報を撮影し、この撮影した撮影周囲情報が被験者情報データベース４６に登録され、また、同期撮影信号生成手段５０は同期撮影信号を生成し、生成された同期撮影信号毎に視野カメラ４が被験者の視野情報を撮影するとともに、瞳孔カメラ６が被験者の瞳孔情報を撮影し、これら視野情報及び瞳孔情報を用いて瞳孔座標合成情報が生成される。そして、上述したと同様にして同期情報が付加された瞳孔座標合成情報及び周囲情報が被験者情報データベース４６に登録される。
【００５１】
この実施形態では、更に、この瞳孔座標合成情報が画像情報出力部５８から表示手段３６に出力され、瞳孔座標合成情報が表示手段３６の画面に表示される。従って、例えばトレーニングコーチは、表示手段３６の表示内容を見ることによって被験者がどこを見ているかを知ることができ、被験者の視点位置が良くないときには音声情報入力手段７８からその旨のアドバイスなどの音声情報を入力するようになる。このように音声情報を入力すると、入力された音声情報がシステムコンピュータ１０Ａに送られ、その音声情報出力部９０から音声情報出力手段８４に出力され、トレーニングコーチからのアドバイスが被験者に伝えられ、例えばバスケットボール中においても被験者の目の視点位置、目の動きなどに対する適切なアドバイスをそのときどきにおいて行うことができ、実際の動きに即した効率的なトレーニングを行うことができる。
【００５２】
また、例えば、位置情報を被験者に伝えてトレーニングを行うときには、入力手段３４Ａの入力方式選択スイッチ７２を操作して「自動」に設定するとともに、入力情報選択スイッチ７４を操作して「位置情報入力」を設定し、このように設定することによって、自動による情報の記録が行われ、上述したと同様にして、同期情報が付加された瞳孔座標合成情報及び周囲情報が被験者情報データベース４６に登録され、また瞳孔座標合成情報が画像情報出力部５８から表示手段３６に出力されてその画面に表示される。
【００５３】
この場合、例えばトレーニングコーチは、この表示手段３６の表示内容を見ながら位置情報入力手段７６から好ましい視点位置の位置情報を入力するようになる。このように位置情報を入力すると、入力された位置情報がシステムコンピュータ１０Ａに送られ、入力位置情報合成手段８８がこの位置情報を瞳孔座標合成情報に合成し、合成された位置情報合成情報が画像情報出力部５８から出力されて表示手段３６に表示され、トレーニングコーチはこの表示内容を見ることによって、入力した位置情報の内容を確認することができる。
【００５４】
また、このように位置情報を入力すると、入力位置情報が画像情報出力部５８から位置情報出力手段８２に送られ、位置情報出力手段８２（具体的には、ＬＥＤ）は入力された位置情報の特定位置に向けて光を投射する。バスケットボール中の特定場面における例えば視点位置が位置情報として入力され、従って、被験者がその特定場面において見るべき視点位置、換言すると瞳孔座標がＬＥＤによって示され、そのＬＥＤの光を瞳孔の中心で見るようにすることによって、被験者の目が好ましい視点位置となり、このようにＬＥＤの光を利用して視点位置、即ち瞳孔中心座標を示すことによって、実際の動きに即した効率的なトレーニングを行うことができる。
【００５５】
このようなトレーニングは、上述した音声情報の入力と上述した位置情報入力とを併用して行うのが好ましく、併用することによってより目の視点位置、目の動きなどに関するアドバイスをより確実に被験者に伝えることができ、この場合、入力手段選択スイッチ７４を「位置／音声情報入力」に設定するようになる。
【００５６】
上述した第２の実施形態では、位置情報と音声情報との双方が入力可能に構成されているが、これらのいずれか一方のみを入力可能に構成するようにしてもよい。
以上、本発明に従うトレーニングシステムの実施形態について説明したが、本発明はかかる実施形態に限定されるものではなく、本発明の範囲を逸脱することなく種々の変形乃至修正が可能である。
【００５７】
例えば、上述した実施形態では、被験者の片方の目（例えば右目）に対応して視野カメラ及び瞳孔カメラなどを設けているが、被験者の両目に対応して視野カメラ及び瞳孔カメラなどを設ける場合、例えば、次のように構成される。即ち、視野カメラとして被験者の左右の目にそれぞれ対応して視野カメラが設けられ、左視野カメラは被験者の左目の左前方視野情報を撮影し、また右視野カメラは被験者の右目の右前方視野情報を撮影する。また、瞳孔カメラは、被験者の左右の目にそれぞれ対応して瞳孔カメラが設けられ、左瞳孔カメラは左目の左瞳孔情報を撮影し、右瞳孔カメラは右目の右瞳孔情報を撮影する。そして、瞳孔座標情報演算手段は、左瞳孔カメラの左瞳孔情報に基づいて左瞳孔座標情報を演算するとともに、右瞳孔カメラの右瞳孔情報に基づいて右瞳孔座標情報を演算し、また瞳孔情報合成手段は、左視野カメラの左前方視野情報に瞳孔座標演算手段により演算した左瞳孔座標情報を合成して左瞳孔座標合成情報を生成するとともに、右視野カメラの右前方視野情報に瞳孔座標演算手段により演算した右瞳孔座標情報を合成して右瞳孔座標合成情報を生成する。このように構成することによって、被験者の左右の目に対する各種情報（視野情報、瞳孔情報、瞳孔座標情報、瞳孔座標合成情報）を生成し、これら各種情報を利用して三次元画像情報として演算処理することができ、実際の状況により即した情報を得ることができる。
【００５８】
また、例えば、上述した実施形態では、表示手段３６としてＣＲＴ４４に表示しているが、このようなものに限定されず、表示手段として眼鏡型の装着スクリーンを用い、この装着スクリーンに表示するようにしてもよい。
【図面の簡単な説明】
【００５９】
【図１】第１の実施形態のトレーニングシステムの全体を簡略的に示す斜視図。
【図２】図１のトレーニングシステムにおけるトレーニング用装着フレーム及びそれに関連する構成を示す平面図。
【図３】図１のトレーニングシステムにおける瞳孔情報合成手段により合成された瞳孔座標合成情報の一例を簡略的に示す図。
【図４】図１のトレーニングシステムにおける周囲カメラにより撮影された周囲情報の一例を簡略的に示す図。
【図５】図１のトレーニングシステムの制御系を示すブロック図。
【図６】図５による制御系による制御の一部を示すフローチャート。
【図７】第２の実施形態のトレーニングシステムの全体を概略的に示す斜視図。
【図８】図７のトレーニングシステムの制御系を簡略的に示すブロック図。
【符号の説明】
【００６０】
２  装着フレーム
４  視野カメラ
６  瞳孔カメラ
８  周囲カメラ
１０，１０Ａ  システムコンピュータ
３４，３４Ａ  入力手段
３６  表示手段
３８  記憶手段
４６  被験者データベース
４８  上級者データベース
５０  同期撮影信号生成手段
５２  瞳孔座標演算手段
５４  瞳孔情報合成手段
５６  同期情報合成手段
７６  位置情報入力手段
７８  音声入力手段
８２  位置情報出力手段
８４  音声情報出力手段
【図１】
2008079917.tif 000003
【図２】
2008079917.tif 000004
【図３】
2008079917.tif 000005
【図４】
2008079917.tif 000006
【図５】
2008079917.tif 000007
【図６】
2008079917.tif 000008
【図７】
2008079917.tif 000009
【図８】
2008079917.tif 000010